(57)【要約】【課題】サブルーメンが周囲から押圧力を受けて変形したとしても、その内腔に閉塞しない空隙を確保することができるカテーテルを提供する。【解決手段】長尺状の可撓性を有するカテーテル本体１１の内部に、その軸方向に延びるメインルーメン１２と、該メインルーメン１２より軸心から偏心した位置で同じく軸方向に延びるサブルーメン１３とが形成され、サブルーメン１３の横断面は、メインルーメン１２に対向する側を含む周囲から押圧力を受けて潰れるように変形した際に閉塞しない空隙を確保可能な断面形状に形成されている。【選択図】図１
2017093903.tif 000002
【特許請求の範囲】
【請求項１】
体内に挿入して栄養剤等を注入するためのカテーテルにおいて、
長尺状の可撓性を有するカテーテル本体の内部に、その軸方向に延びるメインルーメンと、該メインルーメンより軸心から偏心した位置で同じく軸方向に延びるサブルーメンとが形成され、
前記サブルーメンの軸方向に垂直な面で切断した横断面は、前記メインルーメンに対向する側を含む周囲から押圧力を受けて潰れるように変形した際に閉塞しない空隙を確保可能な断面形状に形成されたことを特徴とするカテーテル。
【請求項２】
前記サブルーメンの横断面は、その内周面における周方向の少なくとも一部に両側の面が交わる角部を備えた断面形状に形成され、該角部の頂端内側が変形した際も空隙として確保されることを特徴とする請求項１に記載のカテーテル。
【請求項３】
前記サブルーメンの横断面は、前記角部を周方向に間隔をあけて３つ以上備え、各角部の間が直線で結ばれた多角形の断面形状であることを特徴とする請求項２に記載のカテーテル。
【請求項４】
前記サブルーメンの横断面は、前記角部を周方向に間隔をあけて３つ以上備え、各角部の間が内側に凹む線で結ばれた異形の断面形状であることを特徴とする請求項２に記載のカテーテル。
【請求項５】
前記カテーテル本体の先端部に胃内に留置するためのバルーンを備え、
前記メインルーメンは、栄養剤等を胃内に注入するためのものであり、
前記サブルーメンは、前記バルーンを膨張させる流体を通過させるものであることを特徴とする請求項１，２，３または４に記載のカテーテル。
【発明の詳細な説明】
【技術分野】
【０００１】
本発明は、体内に挿入して栄養剤等を注入するためのカテーテルに関し、特に、胃瘻カテーテルに代表される栄養投与用のカテーテルに適するものである。
【背景技術】
【０００２】
従来より、長期的な栄養投与が必要な患者には、経鼻栄養の代わりに必要に応じて胃瘻造設が行われていた。これは、腹壁と胃腔の間に造られた孔である胃瘻にカテーテルを通して、カテーテルから直接胃内に栄養を注入する方法である。このような胃瘻に用いるカテーテルとして、先端部にバルーンを備えたバルーンカテーテルが多く知られている（例えば特許文献１参照）。
【０００３】
一般的に前記バルーンカテーテルでは、例えば図４の横断面図に示すように、カテーテル本体１の全長に亘って、栄養剤を胃内に注入する大径のメインルーメン２と、バルーンを膨張させるための小径のサブルーメン３とが、それぞれ並行して貫通するように形成されている。ここでサブルーメン３の横断面は、図４（ａ）に示す円形か、同図（ｂ）に示す楕円形の断面形状に形成されていた。
【０００４】
このようなバルーンカテーテルでは、前記カテーテル本体１の限られた横断面積の範囲内において、前記メインルーメン２の横断面積をなるべく広く確保するためには、前記サブルーメン３の横断面積を小さくするか、メインルーメン２と干渉しないように楕円形の断面形状（図４（ｂ）参照）にする必要があった。
【先行技術文献】
【特許文献】
【０００５】
【特許文献１】特開２０１３−１１６２２０号公報
【発明の開示】
【発明が解決しようとする課題】
【０００６】
しかしながら、前述した従来のバルーンカテーテルでは、メインルーメン２から栄養剤や薬剤等、複数種類を注入する場合に、これらの成分が作用し合ってメインルーメン２の内周壁に栄養剤等の残渣が付着することがある。かかる場合、メインルーメン２の横断面領域が残渣によって膨張し、サブルーメン３がメインルーメン２に対向する側からの押圧により変形し、サブルーメン３の内腔が押し潰されてしまい、バルーンを膨らませたり萎ませる操作ができなくなる虞があった。
【０００７】
このような従来のバルーンカテーテルにおける問題を解決する対策として、例えばサブルーメン３の内部に、潰れない程度の剛性を備えた合成樹脂製のチューブを内挿することが考えられる。しかしながら、製造コストがアップする要因となる。また、カテーテル本体をクランプ（閉塞）して胃内からの逆流を防止する場合に、前述の合成樹脂製のチューブが潰れてその内腔が閉塞するため、クランプすることができないという新たな問題が発生することになる。
【０００８】
本発明は、以上のような従来技術が有する問題点に着目してなされたものであり、サブルーメンが周囲から押圧力を受けて変形したとしても、その内腔に閉塞しない空隙を確保することができ、サブルーメンの内腔に流体が通過できなくなる事態を防止することができ、しかも、簡易な構成によりコストアップを防止することができ、また、クランプ操作も問題なくできるカテーテルを提供することを目的としている。
【課題を解決するための手段】
【０００９】
前述した目的を達成するための本発明の要旨とするところは、以下の各項の発明に存する。  
［１］体内に挿入して栄養剤等を注入するためのカテーテル（１０）において、
長尺状の可撓性を有するカテーテル本体（１１）の内部に、その軸方向に延びるメインルーメン（１２）と、該メインルーメン（１２）より軸心から偏心した位置で同じく軸方向に延びるサブルーメン（１３）とが形成され、
前記サブルーメン（１３）の軸方向に垂直な面で切断した横断面は、前記メインルーメン（１２）に対向する側を含む周囲から押圧力を受けて潰れるように変形した際に閉塞しない空隙を確保可能な断面形状に形成されたことを特徴とするカテーテル（１０）。
【００１０】
［２］前記サブルーメン（１３）の横断面は、その内周面における周方向の少なくとも一部に両側の面が交わる角部を備えた断面形状に形成され、該角部の頂端内側が変形した際も空隙として確保されることを特徴とする前記［１］に記載のカテーテル（１０）。
【００１１】
［３］前記サブルーメン（１３）の横断面は、前記角部を周方向に間隔をあけて３つ以上備え、各角部の間が直線で結ばれた多角形の断面形状であることを特徴とする前記［２］に記載のカテーテル（１０）。
【００１２】
［４］前記サブルーメン（１３）の横断面は、前記角部を周方向に間隔をあけて３つ以上備え、各角部の間が内側に凹む線で結ばれた異形の断面形状であることを特徴とする前記［２］に記載のカテーテル（１０）。
【００１３】
［５］前記カテーテル本体（１１）の先端部に胃内に留置するためのバルーン（２０）を備え、
前記メインルーメン（１２）は、栄養剤等を胃内に注入するためのものであり、
前記サブルーメン（１３）は、前記バルーン（２０）を膨張させる流体を通過させるものであることを特徴とする前記［１］，［２］，［３］または［４］に記載のカテーテル（１０）。
【００１４】
次に、前述した解決手段に基づく作用を説明する。  
前記［１］に記載のカテーテル（１０）によれば、長尺状の可撓性を有するカテーテル本体（１１）の内部には、メインルーメン（１２）とサブルーメン（１３）が互いに軸方向に並行に延びている。メインルーメン（１２）は、カテーテル本体（１１）の軸心を通るように形成され、サブルーメン（１３）は軸心から偏心した位置にメインルーメン（１２）と干渉しないように形成される。
【００１５】
ここでメインルーメン（１２）は、体内に栄養剤等を注入するという主な目的に用いられ、サブルーメン（１３）は他の付随的な目的に用いられるが、メインルーメン（１２）の注入機能を高めるべく、その横断面積を大きく確保する場合、その分サブルーメン（１３）の横断面積を小さくしたり、互いに近接させて配置する必要があった。
【００１６】
そのため、可撓性により変形可能なカテーテル本体（１１）の内部において、サブルーメン（１３）の流路は、メインルーメン（１２）に対向する側を含む周囲から押圧力を受けると、潰れるように変形しやすくなる。そこで、サブルーメン（１３）の横断面を、メインルーメン（１２）に対向する側を含む周囲から押圧力を受けて潰れるように変形しても、閉塞しない空隙を確保可能な断面形状に形成する。これにより、サブルーメン（１３）における必要最低限の流路を確保することができる。
【００１７】
前記［２］に記載のカテーテル（１０）によれば、前記サブルーメン（１３）の横断面は、その内周面における周方向の少なくとも一部に両側の面が交わる角部を備えた断面形状に形成され、該角部の頂端内側が変形した際も空隙として確保される。このような断面形状によれば、角部におけるリブ効果により、サブルーメン（１３）が潰れる方向にかかる負荷に対する強度を増すことができ、サブルーメン（１３）が潰れるように変形したとしても、少なくとも角部の頂端内側は局所的に潰れにくく空隙が確保される。
【００１８】
このような角部を備えた断面形状としては、例えば前記［３］に記載したように、前記角部を周方向に間隔をあけて３つ以上備え、各角部の間が直線で結ばれた多角形の断面形状にすると良い。このように、例えば三角形や四角形等の単純な断面形状によって、サブルーメン（１３）における必要最低限の流路を確保することができる。
【００１９】
また、別の断面形状として、例えば前記［４］に記載したように、前記角部を周方向に間隔をあけて３つ以上備え、各角部の間が内側に凹む線で結ばれた異形の断面形状としても良い。ここで各角部の間で内側に凹む線は、直線が途中で屈曲した折れ線でも良く、あるいは湾曲した曲線でも良い。このように、例えば星形等の異形の断面形状によっても、サブルーメン（１３）における必要最低限の流路を確保することができる。
【００２０】
以上のようなカテーテル（１０）は、体内に栄養剤等を注入する目的に用いられるものであれば、具体的な種類は問わないが、例えば前記［５］に記載したように、胃瘻カテーテル（１０）に適用すると良い。かかるカテーテル（１０）では、カテーテル本体（１１）の先端部に胃瘻に留置するためのバルーン（２０）を備え、前記メインルーメン（１２）は、栄養剤を胃内に注入するためのものであり、前記サブルーメン（１３）は、バルーン（２０）を膨張させる流体を通過させるものである。
【００２１】
このような胃瘻カテーテル（１０）の場合、メインルーメン（１２）に栄養剤等の残渣が付着することがある。この残渣によってメインルーメン（１２）の横断面領域が膨張し、サブルーメン（１３）が圧迫されることがあるが、前述したサブルーメン（１３）の横断面形状によれば、バルーン（２０）を膨張させる流体を通過させるための最低限の流路は確保することができる。よって、バルーン（２０）を膨らませたり萎ませる操作ができなくなる虞はない。
【発明の効果】
【００２２】
本発明に係るカテーテルによれば、サブルーメンが周囲から押圧力を受けて変形したとしても、その内腔に閉塞しない空隙を確保することができ、サブルーメンの内腔に流体が通過できなくなる事態を防止することができる。かかる効果は、サブルーメンの横断面形状の工夫に因るものであり、別途チューブ等で補強することはないため、簡易な構成でコストアップを防止することができ、また、クランプ操作も問題なく可能となる。
【図面の簡単な説明】
【００２３】
【図１】本発明の実施の形態に係るカテーテルを成すカテーテル本体の軸方向の一部を省略して示す側面図と、その途中を軸方向に垂直な面で切断した横断面を示す拡大断面図である。
【図２】本発明の実施の形態に係るカテーテルを成すカテーテル本体の別の横断面を示す拡大断面図であり、サブルーメンの変形例のバリエーションを例示している。
【図３】本発明の実施の形態に係るカテーテルを成すカテーテル本体のさらに別の横断面を示す拡大断面図であり、サブルーメンの変形例のバリエーションを例示している。
【図４】従来一般のカテーテルを成すカテーテル本体の横断面を示す拡大断面図である。
【発明を実施するための形態】
【００２４】
以下、図面に基づき本発明を代表する実施の形態を説明する。  
図１は、本発明の実施の形態を示している。  
本実施の形態に係るカテーテル１０は、体内に挿入して臓器の内部に栄養剤等を注入するための医療用器具である。以下、カテーテル１０を、胃に造設された胃瘻に挿入して胃内に栄養剤を直接注入するのに用いる胃瘻カテーテルを例に説明する。
【００２５】
図１に示すように、カテーテル１０は、長尺状の可撓性を有するカテーテル本体１１と、カテーテル本体１１の先端部に設けられたバルーン２０と、カテーテル本体１１の基端部に設けられたカテーテルヘッド３０と、カテーテル本体１１の途中に設けられた固定具４０とを有して成る。
【００２６】
カテーテル本体１１は、図１では全体的に真っ直ぐに延ばした状態を示したが、自由に湾曲させることができる可撓性を有しており、その材質は例えば、シリコーンゴムやポリウレタン等の柔軟な合成樹脂から円形断面のチューブ状に形成されている。カテーテル本体１１の内部には、主たる管路となるメインルーメン１２と、サブルーメン１３がそれぞれ独立した管路として形成されている。
【００２７】
メインルーメン１２は、栄養剤等を胃内に注入するためのものであり、カテーテル本体１１の軸方向に延びるように貫通形成されている。メインルーメン１２の先端は、カテーテル本体１１の先端部より外部に開口しており、一方、メインルーメン１２の基端は、後述するカテーテルヘッド３０の内部に連通している。
【００２８】
メインルーメン１２の軸方向に垂直な面で切断した横断面は、カテーテル本体１１の軸心を中心とする円形のうち、例えば一端側の円弧の一部を弓形に切り欠いた蒲鉾形に形成されている。すなわち、メインルーメン１２は、全体的には円形断面の内周壁を備えるが、その一端側だけ全長に亘って平面状の内壁となっている。このようなメインルーメン１２の横断面形状は、カテーテル本体１１の横断面領域において、その主要部を占めるメインルーメン１２にサブルーメン１３が干渉しないように配置スペースを確保するためであり、平面状の内壁を以下に平面内壁１２ａとする。
【００２９】
サブルーメン１３は、後述するバルーン２０を拡張させる流体（例えば滅菌蒸留水や空気等）を通過させるものであり、前記メインルーメン１２よりもカテーテル本体１１の軸心から偏心した位置で、該メインルーメン１２と並行に軸方向に延びるように貫通形成されている。サブルーメン１３の先端は、カテーテル本体１１の先端部より開口してバルーン２０内部に連通しており、一方、サブルーメン１３の基端は、後述するカテーテルヘッド３０の内部に連通している。
【００３０】
サブルーメン１３は、前記メインルーメン１２の横断面より小径で、流体が通過可能な程度の細い管路として形成されている。かかるサブルーメン１３は、カテーテル本体１１の横断面領域のうち、スペース的に余裕があるメインルーメン１２の平面内壁１２ａに対向する位置を通るように配されている。よって、サブルーメン１３は、小径であることも相俟って、メインルーメン１２の横断面領域が膨張した場合には、その平面内壁１２ａからの押圧力を受けやすい位置にある。
【００３１】
そこで、前記押圧力の作用によるサブルーメン１３の潰れを防止するために、サブルーメン１３の横断面は、前記メインルーメン１２に対向する側を含む周囲から押圧力を受けて潰れるように変形した際に、閉塞しない空隙を確保可能な断面形状に形成されている。具体的には、サブルーメン１３の横断面は、その内周面における周方向の少なくとも一部に両側の面が交わる角部を備えた断面形状に形成され、該角部の頂端内側が変形した際も空隙として確保される。
【００３２】
詳しく言えば、サブルーメン１３の横断面は、図１中に拡大して示したように、扇形の断面形状に形成されている。すなわち、扇形の中心角を成す角部１３ａは、カテーテル本体１１の軸心に向かいメインルーメン１２の平面内壁１２ａと垂直に対向しており、角部１３ａで交わる両側の平面１３ｂ，１３ｂは扇形の半径方向に拡がり、両側の平面１３ｂ，１３ｂの外端縁の間には、円弧状断面の曲面が連なっている。ここで平面１３ｂと曲面が交わる部位も角部となる。
【００３３】
なお、カテーテル本体１１の横断面領域において、前記メインルーメン１２およびサブルーメン１３を除く空いたスペースには、造影ライン１４も軸方向に延びるように設けられている。かかる造影ライン１４は、Ｘ線により体外から位置を確認できるものである。かかる造影ライン１４は管状ではないため、前記サブルーメン１３のように潰れる事態を考慮する必要はない。
【００３４】
また、カテーテル本体１１の先端部には、流体を介した加圧操作により膨張可能なバルーン２０が設けられている。バルーン２０は、カテーテル１０を胃内に留置する際にカテーテル本体１１の固定に用いるものであり、その材質は、柔軟性があり弾性変形が可能な材質であれば何でも良いが、例えばシリコーンゴム等が適している。このようなバルーンは、公知の構造のものを用いることができる。
【００３５】
バルーン２０は、具体的には例えば、カテーテル本体１１の先端部を覆うゴム風船状に形成され、前記サブルーメン１３より流体が導入される加圧操作がなされると、先端部の周りに球形に膨張する一方、前記サブルーメン１３より流体が排出される減圧操作がなされると、先端部の周りに張り付く状態に萎むように設定されている。バルーン２０の内部には、前記サブルーメン１３が連通しており、サブルーメン１３を介して滅菌蒸留水等の流体が導入ないし排出される。
【００３６】
また、カテーテル本体１１の基端部には、前記メインルーメン１２や前記サブルーメン１３が連通接続されたカテーテルヘッド３０が設けられている。カテーテルヘッド３０は、メインルーメン１２とサブルーメン１３とにそれぞれ連通する二叉のファネル（漏斗）状に形成されている。詳しく言えば、カテーテルヘッド３０のうち、カテーテル本体１１と同軸方向に延びる主要部は、メインルーメン１２と連通して栄養剤を注入するメインルーメン接続用コネクタ３１となっており、その先端より分岐する部位は、サブルーメン１３と連通してバルーン膨張用の流体を通過させるサブルーメン接続用コネクタ３２となっている。
【００３７】
メインルーメン接続用コネクタ３１の漏斗状に拡径した開口部には、開閉可能な栓３３が備えられており、体内に注入する栄養剤や流動食等は、この開口部からカテーテル本体１１のメインルーメン１２を介して胃内に注入される。また、サブルーメン接続用コネクタ３２の開口部には、逆止弁３４が備えられており、この開口部に流体注入用の注射筒（図示せず）を差し込んだ時だけ、サブルーメン１３を外部と連通させるように構成されている。なお、カテーテルヘッド３０の材質も、例えばシリコーンゴム等が適している。
【００３８】
さらに、カテーテル本体１１の途中には、固定具４０が設けられている。この固定具４０は、前記バルーン２０を胃瘻より胃内に挿入して胃内壁に密着する状態で膨張させた時に、対向する体表面に当接させることで、カテーテル本体１１を固定するものである。固定具４０のうち体表面に当接させる表面には、公知の摩擦抵抗を増す処理が施されている。なお、固定具４０の材質も、例えばシリコーンゴム等が適している。
【００３９】
次に、本実施の形態に係るカテーテル１０の作用について説明する。  
本カテーテル１０は、カテーテル本体１１の先端部より胃瘻から胃内に挿入する。この時、カテーテル本体１１の先端部にあるバルーン２０は収縮している。カテーテル１０を挿入するに先立ち、胃瘻にガイドワイヤーを挿入しておいても良い。バルーン２０が胃内に到達したことを確認したら、サブルーメン接続用コネクタ３２の開口部に注射筒（図示せず）を差し込み、サブルーメン１３を通じて滅菌蒸留水等の流体をバルーン２０に導入する。
【００４０】
バルーン２０が膨張したら外側に引っ張り、バルーン２０を胃壁に密接させる。一方、体表面には固定具４０を宛がうことでカテーテル１０は固定される。その後、メインルーメン接続用コネクタ３１の開口部から栄養剤等をメインルーメン１２を通して胃内に注入する。メインルーメン１２からは栄養剤だけでなく、必要に応じて各種薬剤等も注入することができる。カテーテル本体１１を胃から外す時は、サブルーメン接続用コネクタ３２の開口部に再び注射筒を差し込み、サブルーメン１３を通じてバルーン２０内の流体を外部に排出してからカテーテル本体１１を引き抜けば良い。
【００４１】
このようなカテーテル１０により、メインルーメン１２から栄養剤だけでなく薬剤等、複数種類を導入する場合、これらの成分や胃酸等が作用し合って（特に蛋白質と胃酸が反応するとカード化という現象（牛乳に酸を混ぜるとヨーグルト状になるようなもの）が発生する。）、メインルーメン１２の内周壁に成分の残渣が付着することがある。かかる場合、メインルーメン１２の横断面領域が残渣によって膨張する。この膨張したメインルーメン１２の平面内壁１２ａ側からの押圧力を受けて、サブルーメン１３は内腔が押し潰される方向に変形する。
【００４２】
ここでサブルーメン１３の横断面は、前述したように、メインルーメン１２に対向する側を含む周囲からの押圧力を受けて潰れるように変形しても、閉塞しない空隙を確保可能な断面形状に形成されている。従って、サブルーメン１３における必要最低限の流路は確保することができ、バルーン２０を膨らませたり萎ませる操作を支障なく行うことができる。
【００４３】
特に、サブルーメン１３の横断面は、図１中に拡大して示したように、扇形の断面形状に形成されており、その角部１３ａは、カテーテル本体１１の軸心に向かいメインルーメン１２の平面内壁１２ａと垂直に対向している。このような扇形の断面形状によれば、角部１３ａにおけるリブ効果により、サブルーメン１３が潰れる方向にかかる負荷に対する強度を増すことができ、サブルーメン１３が潰れるように変形したとしても、少なくとも角部１３ａの頂端内側には空隙が確保される。
【００４４】
このように、サブルーメン１３自体の断面形状の工夫により流路を確保するため、サブルーメン１３の内部に補強用のチューブを内挿したりする必要はない。よって、簡易な構成となりカテーテル１０の製造コストを抑えることができる。また、カテーテル本体１１をクランプ（閉塞）して胃内からの逆流を防止する際に、補強用のチューブが潰れて流路が閉塞されるような虞もないため、クランプ操作も問題なく可能である。
【００４５】
サブルーメン１３の断面形状は、図１に示した扇形に限定されることはなく、要はサブルーメン１３が周囲から押圧力を受けて潰れるように変形しても閉塞しない空隙を確保できれば足りる。すなわち、サブルーメン１３の内周面の周方向の少なくとも一部に両側の面が交わる角部１３ａを備えていれば、何れの横断面形状であっても良い。よって、他にも例えば、図２や図３に示すように、様々な多角形や異形の断面形状を採用することができる。
【００４６】
図２では、前記サブルーメン１３の断面形状の変形例として、角部を周方向に間隔をあけて３つ以上備え、各角部の間が直線で結ばれた多角形の断面形状に形成したものを示している。図２（ａ）に示すサブルーメン１３１の横断面は、前記サブルーメン１３における円弧状断面の曲面部分を平面にすることで、３つの平面が交わり３つの角部を備えた三角形の断面状としている。
【００４７】
また、図２（ｂ）に示すサブルーメン１３２の横断面は、４つの平面が交わり４つの角部を備えた四角形の断面形状とし、図２（ｃ）に示すサブルーメン１３３の横断面は、６つの平面が交わり６つの角部を備えた六角形の断面形状としている。このように、例えば三角形や四角形等の比較的単純な断面形状であっても、サブルーメン１３１〜１３３における必要最低限の流路を確保することができる。
【００４８】
ここで角部の数は特に限定されることなく、三角形以上の多角形であれば良く、また、各辺の長さが同一となる正三角形や正方形等に限定されることもなく、各辺の長さが異なっていても良い。ただし、角部の数が７つ以上になると、角部の内角が大きくなり過ぎるので、その頂端内側の空隙の確保やリブ効果が不十分となるため、特に、三角形から六角形の範囲の横断面形状に形成することが好ましい。
【００４９】
さらに、図３では、前記サブルーメン１３の断面形状の別の変形例として、角部を周方向に間隔をあけて３つ以上備え、各角部の間が内側に凹む線で結ばれた異形の断面形状に形成したものを示している。図３（ａ）に示すサブルーメン１３４の横断面は、周方向に等間隔に並ぶ４つの角部の間が、断面の内側（中心側）に屈曲して凹んだ十字手裏剣形の断面形状としている。図３（ｂ）に示すサブルーメン１３５の横断面は、周方向に等間隔に並ぶ５つの角部の間が、断面の内側（中心側）に屈曲して凹んだ五芒星形の断面形状としている。
【００５０】
このように、複数の角部を備えた異形の断面形状によっても、サブルーメン１３における必要最低限の流路を確保することができる。ここでの角部は、断面の外側に向かって凹嵌するものであるが、各角部の間にも、断面の内側（中心側）に出っ張る角部が存在することになり、外側に凹嵌する角部と内側に出っ張る角部が交互に配置されている。ただし、各角部の間を結ぶ内側に凹む線は、直線が途中で屈曲した折れ線に限られることなく、図示省略したが湾曲した曲線で結ばれる断面形状でも良い。
【００５１】
サブルーメン１３の横断面は、以上のように様々な多角形や異形の断面形状を採用することができる。ここで２つの角部の頂端を結ぶ対角線や、断面中心から角部の頂端を結ぶ線分が、メインルーメン１２の平面内壁１２ａに対してなるべく直角に近い角度で交差するようにすれば、いっそうリブ効果を高めることができ、当該角部の頂端内側が閉塞することを防止することが可能となる。
【００５２】
以上、本発明の実施の形態を図面によって説明してきたが、具体的な構成は前述した実施の形態に限られるものではなく、本発明の要旨を逸脱しない範囲における変更や追加があっても本発明に含まれる。例えば、カテーテル本体１１、バルーン２０、カテーテルヘッド３０の具体的な形状や相対的な大きさは、図示したものに限定されることはない。
【００５３】
また、前記メインルーメン１２は、栄養剤だけでなく薬液や造影剤等を注入するために用いることができる。前記サブルーメン１３も、バルーン２０を拡張させる流体を通過させるものに限らず、栄養剤、薬液・薬剤、造影剤等の注入に用いるものでも良く、さらに、サブルーメン１３は一つに限られることなく、多目的なルーメンとして複数設けても良い。
【００５４】
さらに、前記カテーテル１０は、前述した胃瘻カテーテルに限定されるものではなく、他に消化管内における吸引や減圧に用いるカテーテル等、様々な用途のカテーテルに適用することができる。よって、メインルーメン１２も、栄養剤や薬液等の注入だけでなく、棒状の挿入具や内視鏡等を挿入させたり、あるいは体液を外部に排出するためのルートとして用いるものでも良い。
【産業上の利用可能性】
【００５５】
本発明に係るカテーテルは、胃瘻カテーテルに限定されるものではなく、他に消化管内における吸引や減圧に用いるカテーテル等、様々な用途のカテーテルに適用することができる。
【符号の説明】
【００５６】
１０…カテーテル
１１…カテーテル本体
１２…メインルーメン
１２ａ…平面内壁
１３…サブルーメン
１３ａ…角部
１３ｂ，１３ｂ…両平面
１４…造影ライン
２０…バルーン
３０…カテーテルヘッド
３１…メインルーメン接続用コネクタ
３２…サブルーメン接続用コネクタ
４０…固定具
【図１】
2017093903.tif 000003
【図２】
2017093903.tif 000004
【図３】
2017093903.tif 000005
【図４】
2017093903.tif 000006